(57)【要約】【課題】伝票片が配送物に貼着される前の状態にて伝票片に剥離可能に貼着されている剥離台紙の一部を用いて情報を通知する場合に、伝票片が配送物に貼着された状態にて、情報が表示された部分を伝票片と配送物との間から容易に取り出す。【解決手段】伝票片１０に貼着された剥離台紙２０に納品書２１をスリット２２によって分離可能に区画形成し、納品書２１の両端部領域を伝票片１０に接着層３１によって剥離不能に貼着するとともに、納品書２１の貼付票１３に対向する領域を接着層３２によって貼付票１３に剥離不能に貼着し、納品書２１の接着層３１によって伝票片１０に剥離不能に貼着された領域を切り離すためのミシン目２３，２４を設ける。【選択図】図１
2017177503.tif 000002
【特許請求の範囲】
【請求項１】
分離票が分離可能に区画形成されてなる伝票片と、該伝票片の一方の面のうち前記分離票を除いた領域に前記伝票片の外周に沿って設けられた第１の接着層によって前記伝票片の前記一方の面に貼着された剥離台紙とを有し、前記伝票片が前記剥離台紙から剥離されて前記第１の接着層によって配送物に貼着される配送伝票において、
前記伝票片は、前記一方の面のうち前記分離票の略全面に第２の接着層が設けられ、
前記剥離台紙は、前記分離票に対向する領域に、少なくとも１つの端辺に並行する端部領域が前記第１の接着層に対向してなる分離部が分離可能に区画形成され、
前記分離部は、前記第１の接着層に対向する領域を切り離す切り離し線を有することを特徴とする配送伝票。
【発明の詳細な説明】
【技術分野】
【０００１】
本発明は、配送物に貼着されて使用される配送伝票に関する。
【背景技術】
【０００２】
従来より、配送物を配送する場合、配送物の配送元及び配送先の住所や氏名あるいは名称等の配送情報が印字された配送伝票が用いられ、配送情報が印字された配送伝票が配送物に貼付され、配送伝票に印字された配送情報に従って配送物が配送先に配送されている。
【０００３】
このような配送伝票としては、配送物に貼付される伝票片に、配送物が配送先に配送された後に配送業者が持ち帰る配達票が分離可能に区画形成されているものが用いられている。この配送伝票を用いた場合、配送物が配送先に配送されると、配達票に受領印が押下され、配達票が伝票片から分離されて配送業者によって持ち帰られることにより、配送物が配送先に配送されたことが管理されることになる。
【０００４】
上述したように配達票を伝票片から分離して持ち帰るためには、伝票片のうち配達票となる部分が配送物に貼着されていない状態としておく必要がある。そこで、伝票片のうち配達票となる部分のみ接着層を設けず、それにより、伝票片が配送物に貼着された後においても配達票のみを配送物から離脱可能としている。
【０００５】
また、このような伝票片から配達票が分離可能な構成において、伝票片のうち配達票となる部分のみ接着層を設けない構成とするとともに、伝票片が配送物に貼着される前の状態にて伝票片に剥離可能に貼着されている剥離台紙のうち、配達票に対向する領域に分離部をスリットによって分離可能に区画形成し、この分離部の表裏に情報を表示した配送伝票が、例えば、特許文献１に開示されている。
【０００６】
特許文献１に開示された配送伝票においては、分離票となる配達票が分離可能に区画形成されるとともに一方の面の配達票を除いた領域に接着層が設けられた伝票片に、接着層によって剥離台紙が剥離可能に貼着された構成において、剥離台紙の配達票に対向する領域に、一方向の両端部のみが接着層に対向するとともに、その両端部を切り離す切り離し線が設けられた分離部が分離可能に区画形成されている。そのため、分離部のうち接着層に対向しない領域の表裏に情報を表示しておくことで、伝票片から配達票を分離した後、分離部の両端部を切り離し線によって切り離せば、分離部の表裏に表示された情報を配送物の配送先に通知することができる。
【特許文献１】特許第５０５３１４２号公報
【発明の概要】
【発明が解決しようとする課題】
【０００７】
近年、特許文献１に開示された配送伝票を用いたものとして、配達票以外にも、領収証や貼付票が伝票片から分離可能に区画形成されたものも多く利用されている。領収証は、配送物の代金を領収したことを示すものであって、配送物の受取人が、配送物を受け取った後に伝票片から分離する。また、貼付票は、配送物の受取人が、配送物を受け取った後に配送物の梱包物を廃棄する際に、貼付票に表示された個人情報の漏洩を回避するために伝票片から分離する。
【０００８】
また、特許文献１に開示された配送伝票においては、上述したように剥離台紙の一部を用いて配送先に情報を通知することができるため、情報が表示される剥離台紙の部分を配送物の納品書として利用することができる。その場合、配送物の受取人は、伝票片から領収証や貼付票を分離した後、剥離台紙のうち分離部の一方向の両端部を切り離し線によって切り離すことで、伝票片と配送物の間から納品書を取り出すことができる。
【０００９】
しかしながらその場合、伝票片から領収証や貼付票を分離した後、分離部の一方向の両端部を切り離し線によってそれぞれ切り離す必要があるため、手間がかかってしまい、納品書となる部分の大きさや切り離し線の位置によっては、納品書を取り出しにくくなってしまうという問題点がある。
【００１０】
本発明は、上述したような従来の技術が有する問題点に鑑みてなされたものであって、伝票片が配送物に貼着される前の状態にて伝票片に剥離可能に貼着されている剥離台紙の一部を用いて情報を通知する場合に、伝票片が配送物に貼着された状態にて、情報が表示された部分を伝票片と配送物との間から容易に取り出すことができる配送伝票を提供することを目的とする。
【課題を解決するための手段】
【００１１】
上記目的を達成するために本発明は、
分離票が分離可能に区画形成されてなる伝票片と、該伝票片の一方の面のうち前記分離票を除いた領域に前記伝票片の外周に沿って設けられた第１の接着層によって前記伝票片の前記一方の面に貼着された剥離台紙とを有し、前記伝票片が前記剥離台紙から剥離されて前記第１の接着層によって配送物に貼着される配送伝票において、
前記伝票片は、前記一方の面のうち前記分離票の略全面に第２の接着層が設けられ、
前記剥離台紙は、前記分離票に対向する領域に、少なくとも１つの端辺に並行する端部領域が前記第１の接着層に対向してなる分離部が分離可能に区画形成され、
前記分離部は、前記第１の接着層に対向する領域を切り離す切り離し線を有することを特徴とする。
【００１２】
上記のように構成された本発明においては、伝票片が剥離台紙から剥離され、伝票片の一方の面に設けられた第１の接着層によって配送物に貼着された状態において、伝票片から分離票が分離されると、剥離台紙から分離して伝票片に貼着されたままとなって伝票片と配送物との間に収容された状態となっている分離部が、伝票片に設けられた第２の接着層によって分離票と貼着されていることにより、分離票の伝票片からの分離に伴って伝票片と配送物との間から取り出されていこうとする。分離部は、分離部の少なくとも１つの端辺に並行する端部領域が第１の接着層に対向していることで伝票片の分離票以外の領域と貼着されているが、分離部を伝票片と配送物との間から取り出そうとすることでこの第１の接着層に対向する領域が切り離し線によって切り離され、分離部が伝票片と配送物との間から取り出される。
【発明の効果】
【００１３】
本発明によれば、伝票片が剥離台紙から剥離され、伝票片の一方の面に設けられた第１の接着層によって配送物に貼着された状態において、伝票片から分離票を分離するだけで、剥離台紙から分離して伝票片と配送物との間に収容された状態となっている分離部を取り出すことができるため、分離部に通知したい情報を表示することにより、伝票片が配送物に貼着される前の状態にて伝票片に剥離可能に貼着されている剥離台紙の一部を用いて情報を通知する場合に、伝票片が配送物に貼着された状態にて、情報が表示された部分を伝票片と配送物との間から容易に取り出すことができる。
【図面の簡単な説明】
【００１４】
【図１】本発明の配送伝票の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。
【図２】図１に示した伝票片及び剥離台紙の構成を示す図であり、（ａ）は伝票片の剥離台紙との貼着面を示す図、（ｂ）は剥離台紙の伝票片との貼着面の構成を示す図である。
【図３】図１及び図２に示した配送伝票において伝票片から配達票を分離するまでの使用方法を説明するための図である。
【図４】図１及び図２に示した配送伝票において伝票片とともに配送物に貼着された納品書を取り出す方法を説明するための図である。
【図５】本発明の配送伝票の他の実施の形態を示す図であり、（ａ）は伝票片の剥離台紙との貼着面を示す図、（ｂ）は剥離台紙の伝票片との貼着面の構成を示す図である。
【図６】図５に示した配送伝票において伝票片とともに配送物に貼着された納品書を取り出す方法を説明するための図である。
【発明を実施するための形態】
【００１５】
以下に、本発明の実施の形態について図面を参照して説明する。
【００１６】
図１は、本発明の配送伝票の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図である。図２は、図１に示した伝票片１０及び剥離台紙２０の構成を示す図であり、（ａ）は伝票片１０の剥離台紙２０との貼着面を示す図、（ｂ）は剥離台紙２０の伝票片１０との貼着面の構成を示す図である。
【００１７】
本形態は図１に示すように、長方形の伝票片１０と剥離台紙２０とが貼着されてなる配送伝票１である。なお、図１（ｄ）においては、配送伝票１の積層構造をわかりやすくするために便宜上厚みを帯びて図示しているが、配送伝票１は実際には、図１（ｂ），（ｃ）に示すように、横方向から見た場合に積層構造がわからないほどのものである。
【００１８】
伝票片１０は図１及び図２（ａ）に示すように、長手方向の長さが剥離台紙２０よりも短くなっており、領収証１１と、配達票１２と、本発明における分離票となる貼付票１３とを有している。これら領収証１１、配達票１２及び貼付票１３にはそれぞれ、この伝票片１０が貼着される配送物の配送元及び配送先の住所や氏名あるいは名称等の配送情報が記入あるいは印字される配送情報表示領域１１ａ，１２ａ，１３ａが設けられており、配達票１２にはさらに、配送物が配送先に届けられた際に受領印を押下するための押印領域１２ｂが設けられている。領収証１１、配達票１２及び配達票１３の境界及び周囲にはミシン目１４が形成されており、このミシン目１４によって領収証１１、配達票１２及び配達票１３がそれぞれ伝票片１０から分離可能に区画形成されている。また、配達票１２の角部には、コーナーカット１５が形成されており、このコーナーカット１５が、配達票１２を伝票片１０から分離する際に摘み代となっている。
【００１９】
伝票片１０の剥離台紙２０との貼着面には、領収証１１、配達票１２及び貼付票１３を除いた領域に、伝票片１０の外周に沿って接着剤が塗工されることで第１の接着層３１が設けられている。この接着層３１は、領収証１１、配達票１２及び貼付票１３の外周に沿って設けられており、ミシン目１４上には設けられていない。また、貼付票１３の剥離台紙２０との貼着面には、ミシン目１４に沿う領域を除く全面に、接着剤が塗工されることで第２の接着層３２が設けられている。接着層３２は、ミシン目１４上も含む貼付票１３の全面に設けられていてもよいが、貼付票１３の全面に設けられている場合と、ミシン目１４に沿う領域を除く全面に設けられている場合とを含めて、貼付票１３の剥離台紙２０との貼着面の略全面に接着層３２が設けられていると定義する。
【００２０】
剥離台紙２０は図１及び図２（ｂ）に示すように、スリット２２が形成されることで分離部となる納品書２１が分離可能に区画形成されており、伝票片１０との貼着面においては、伝票片１０に対向する領域のうち納品書２１以外の全面に剥離剤が塗工されることで剥離層４０が設けられている。納品書２１は、領収証１１、配達票１２及び貼付票１３に渡って対向するようにスリット２２によって形成されている。納品書２１は、剥離台紙２０の短手方向の長さが、領収証１１、配達票１２及び貼付票１３よりも若干短くなっており、それにより、配送伝票１の短手方向においては、接着層３１のうち、領収証１１、配達票１２及び貼付票１３の両側の部分は全ての領域が剥離層４０に対向している。また、納品書２１は、剥離台紙２０の長手方向の長さが、領収証１１と配達票１２と貼付票１３とを加えた長さよりも若干長くなっており、それにより、納品書２１の長手方向にて対向する２つの端辺に並行する端部領域がそれぞれ、接着層３１と対向している。また、納品書２１には、剥離台紙２０の長手方向のうち貼付票１３に対向する側の端部領域において、接着層３１に対向しない領域に納品書２１の端辺に並行して切り離し線となるミシン目２３が形成されており、それにより、納品書２１は、ミシン目２３を断裁することで、接着層３１と対向する端部領域が切り離し可能となっている。なお、このミシン目２３は、ミシン目１４のうち貼付票１３の配達票１２とは反対側の端辺となる部分と重なるように形成されている。また、納品書２１には、剥離台紙２０の長手方向のうち領収証１１に対向する側の端部領域においても、接着層３１に対向しない領域に納品書２１の端辺に並行して切り離し線となるミシン目２４が形成されており、それにより、納品書２１は、ミシン目２４を断裁することで、接着層３１と対向する端部領域が切り離し可能となっている。
【００２１】
上記のように構成された伝票片１０と剥離台紙２０とが接着層３１，３２によって互いに貼着されているが、剥離台紙２０の納品書２１以外の領域が、剥離層４０によって剥離可能となっており、納品書２１のうち、ミシン目２３，２４よりも外側の領域が、剥離層４０が介在せずに接着層３１に対向することで剥離不能となっており、また、貼付票１３に対向する領域が、剥離層４０が介在せずに接着層３２に対向することで剥離不能となっている。なお、貼着後の剥離不能とは、伝票片１０と剥離台紙２０とを人間の手によって剥離した場合に、伝票片１０と剥離台紙２０自体が裂かれたり厚み方向に分割されたりする程度に強接着されていることである。
【００２２】
以下に、上記のように構成された配送伝票１の使用方法について説明する。
【００２３】
まず、伝票片１０から配達票１２を分離するまでの使用方法について説明する。
【００２４】
図３は、図１及び図２に示した配送伝票１において伝票片１０から配達票１２を分離するまでの使用方法を説明するための図である。
【００２５】
図１及び図２に示した配送伝票１を使用する場合は、まず、伝票片１０を配送物に貼着するために伝票片１０から剥離台紙２０を剥離する。伝票片１０と剥離台紙２０とは、上述したように伝票片１０に設けられた接着層３１によって貼着されているものの、剥離台紙２０の納品書２１以外の全面に剥離層４０が設けられているため、容易に剥離することができる。剥離台紙２０をその端部から剥離していくと、納品書２１の周囲にはスリット２２が形成されているため、図３（ａ）に示すように、納品書２１が剥離台紙２０から分離する。この際、納品書２１は、剥離台紙２０の長手方向の両端部の領域が、接着層３１によって伝票片１０に剥離不能に貼着されているとともに、貼付票１３に対向する領域が接着層３２によって伝票片１０に剥離不能に貼着されているため、伝票片１０に貼着されたまま残る。
【００２６】
剥離台紙２０の納品書２１を除く領域を伝票片１０から剥離すると、伝票片１０の剥離台紙２０との貼着面に設けられた接着層３１が表出し、図３（ｂ）に示すように、この接着層３１を用いて伝票片１０を配送物２に貼着する。このように、納品書２１が、剥離台紙２０から分離して伝票片１０に貼着されたままとなった状態で伝票片１０が配送物２に貼着されることで、納品書２１が伝票片１０と配送物２との間に収容された状態となる。
【００２７】
伝票片１０が貼着された配送物２は、配送情報表示領域１１ａ，１２ａ，１３ａに記入あるいは印字された配送情報１１ｃ，１２ｃ，１３ｃに従って配送先に配送されていく。
【００２８】
そして、配送物２が配送先に届けられ、配達票１２の押印領域１２ｂに受領印１２ｄが押下された後、図３（ｃ）に示すように、配達票１２のコーナーカット１５を摘み、ミシン目１４を破断していくことにより配達票１２を伝票片１０から分離する。この際、配達票１２に対向する領域には納品書２１が貼着されているため、配達票１２を伝票片１０から分離する際、汚れた軍手等をはめた手で配達票１２を分離しても配送物２が汚れてしまうことがない。
【００２９】
このようにして配送物２が配送先に届けられ、配達票１２の押印領域１２ｂに受領印１２ｄが押下されると、図３（ｄ）に示すように、伝票片１０から配達票１２が分離され、配送物２に関する情報となる納品情報２１ａが表示された納品書２１が視認される。
【００３０】
次に、配送物２の配送先にて納品書２１を取り出す方法について説明する。
【００３１】
図４は、図１及び図２に示した配送伝票１において伝票片１０とともに配送物２に貼着された納品書２１を取り出す方法を説明するための図である。
【００３２】
配送物２の配送先にて納品書２１を取り出す場合は、まず、領収証１１の配達票１２が伝票片１０から分離したことによって生じた端部を摘み、ミシン目１４を破断していくことにより、図４（ａ）に示すように領収証１１を伝票片１０から分離する。
【００３３】
次に、図４（ｂ）に示すように、貼付票１３の配達票１２が伝票片１０から分離したことによって生じた端部を摘み、ミシン目１４を破断していくことにより貼付票１３を伝票片１０から分離していく。
【００３４】
すると、剥離台紙２０から分離して伝票片１０に貼着されたままとなって伝票片１０と配送物２との間に収容された状態となっている納品書２１においては、貼付票１３に対向する領域が接着層３２に対向していることで貼付票１３と接着されているとともに、領収証１１に対向する側の端部領域が接着層３１に対向していることで伝票片１０と貼着されており、かつ、接着層３１によって伝票片１０と貼着された端部領域の内側にはミシン目２４が設けられているため、図４（ｂ）に示すように、貼付票１３を伝票片１０から分離していくことでミシン目２４が破断して納品書２１の領収書１１に対向する側の端部領域が切り離されていく。
【００３５】
その後、ミシン目１４が全て破断して貼付票１３が伝票片１０から完全に分離すると、納品書２１が接着層３２によって貼付票１３に貼着されているため、貼付票１３の伝票片１０からの分離に伴って納品書２１が伝票片１０と配送物２との間から取り出されていこうとする。納品書２１は、貼付票１３に対向する側の端部領域が接着層３１に対向していることで伝票片１０と貼着されているが、接着層３１によって伝票片１０と貼着された端部領域の内側にはミシン目２３が設けられているため、貼付票１３を伝票片１０から分離することでミシン目２３が破断して納品書２１の貼付票１３に対向する側の端部領域が切り離され、図４（ｃ）に示すように、納品書２１が、貼付票１３に貼着された状態で伝票片１０と配送物２との間から取り出されることになる。
【００３６】
このように、伝票片１０から貼付票１３を分離するだけで、剥離台紙２０から分離して伝票片１０と配送物２との間に収容された状態となっている納品書２１を容易に取り出すことができ、納品書２１に表示された納品情報２１ａを配送物２の配送先に通知することができる。
【００３７】
なお、本形態においては、納品書２１の長手方向の長さが、領収証１１と配達票１２と貼付票１３とを加えた長さよりも若干長くなっており、それにより、納品書２１の長手方向にて対向する２つの端辺に並行する端部領域がそれぞれ接着層３１と対向しているが、この２つの端部領域のうち貼付票１３に対向する側の端部領域においては、貼付票１３に対向する領域が接着層３２によって伝票片１０に貼着されていることからも、接着層３１と対向している必要はなく、納品書２１の端辺が、ミシン目１４のうち貼付票１３の端辺となる部分に重なっていてもよい。
【００３８】
（他の実施の形態）
図５は、本発明の配送伝票の他の実施の形態を示す図であり、（ａ）は伝票片１１０の剥離台紙１２０との貼着面を示す図、（ｂ）は剥離台紙１２０の伝票片１１０との貼着面の構成を示す図である。
【００３９】
本形態の配送伝票は図５に示すように、図１及び図２に示したものに対して、剥離台紙１２０の形態が異なるものである。
【００４０】
本形態における剥離台紙１２０は、納品書１２１の短手方向の長さが、領収書１１、配達票１２及び貼付票１３よりも若干長くなっており、それにより、納品書１２１の短手方向にて対向する２つの端辺に並行する端部領域がそれぞれ、接着層３１と対向している。また、納品書１２１には、接着層３１に対向する領域の内側に、納品書１２１の外周に沿ってミシン目１２３が形成されている。それにより、納品書１２１は、ミシン目１２３を断裁することで、接着層１３１と対向する端部領域が切り離し可能となっている。
【００４１】
以下に、上記のように構成された配送伝票の使用方法について説明する。
【００４２】
上記のように構成された配送伝票が配送物に貼着され、配達票１３及び領収証１１が伝票片１０から分離されるまでの作用は、図３に示したものと同様である。
【００４３】
図６は、図５に示した配送伝票において伝票片１０とともに配送物に貼着された納品書１２１を取り出す方法を説明するための図である。
【００４４】
図６（ａ）に示すように配達票１３及び領収書１１が伝票片１０から分離された後、配送物２の配送先にて納品書１２１を取り出す場合は、貼付票１３の配達票１２が伝票片１０から分離したことによって生じた端部を摘み、ミシン目１４を破断していくことにより貼付票１３を伝票片１０から分離していく。
【００４５】
すると、剥離台紙２０から分離して伝票片１０に貼着されたままとなって伝票片１０と配送物２との間に収容された状態となっている納品書１２１においては、貼付票１３に対向する領域が接着層３２に対向していることで貼付票１３と接着されているとともに、外周に沿う領域が接着層３１に対向していることで伝票片１０と貼着されており、また、接着層３１によって伝票片１０と貼着された領域の内側にミシン目１２３が設けられているため、図６（ｂ）に示すように、貼付票１３を伝票片１０から分離していくことでミシン目１２３が破断して納品書１２１の接着層３１に対向している領域が切り離されていく。
【００４６】
その後、ミシン目１４が全て破断して貼付票１３が伝票片１０から完全に分離すると、納品書１２１が接着層３２によって貼付票１３に貼着されていることにより、ミシン目１２３も全て破断し、図６（ｃ）に示すように、納品書１２１が、貼付票１３に貼着された状態で伝票片１０と配送物２との間から取り出されることになる。
【００４７】
このように、本形態においても、伝票片１０から貼付票１３を分離するだけで、剥離台紙１２０から分離して伝票片１０と配送物２との間に収容された状態となっている納品書１２１を容易に取り出すことができ、納品書１２１に表示された納品情報２１ａを配送物２の配送先に通知することができる。
【００４８】
なお、上述した形態においては、分離票として貼付票１３，１１３を例に挙げて説明したが、分離票としては、貼付票１３，１１３に限らず領収証１１，１１１や配達票１２，１１２であってもよい。
【符号の説明】
【００４９】
１    配送伝票
２    配送物
１０    伝票片
１１    領収証
１１ａ，１２ａ，１３ａ    配送伝票表示領域
１１ｃ，１２ｃ，１３ｃ    配送情報
１２    配達票
１２ｂ    押印領域
１２ｄ    受領印
１３    貼付票
１４，２３，２４，１２３    ミシン目
１５    コーナーカット
２０，１２０    剥離台紙
２１，１２１    納品書
２１ａ，１２１ａ    納品情報
２２，１２２    スリット
３１，３２    接着層
４０，１４０    剥離層
【図１】
2017177503.tif 000003
【図２】
2017177503.tif 000004
【図３】
2017177503.tif 000005
【図４】
2017177503.tif 000006
【図５】
2017177503.tif 000007
【図６】
2017177503.tif 000008